(57)【要約】  空気調和システムは、室外機、前記室外機よりも多い台数の室内機及び前記室外機と複数の前記室内機とを接続して情報を伝達する通信路を有する空気調和装置と、前記空気調和装置の情報を記憶する蓄積部を有する監視装置と、前記通信路を介して得られた前記空気調和装置の情報の少なくとも一部を前記蓄積部に送信する情報処理部と、を含む。
2016125270.tif 000002
【特許請求の範囲】
【請求項１】
室外機、前記室外機よりも多い台数の室内機及び前記室外機と複数の前記室内機とを接続して情報を伝達する通信路を有する空気調和装置と、
前記空気調和装置の情報を記憶する蓄積部を有する監視装置と、
前記通信路を介して得られた前記空気調和装置の情報の少なくとも一部を前記蓄積部に送信する情報処理部と、
を含む、空気調和システム。
【請求項２】
少なくとも１台の前記室内機は、前記情報処理部を備え、
複数の前記室内機は、前記情報処理部が前記監視装置に送信する情報を選択するための指令を前記情報処理部に与える入力装置を備える、請求項１に記載の空気調和システム。
【請求項３】
前記監視装置は、前記室外機と複数の前記室内機とを接続する通信路とは異なる通信路によって前記情報処理部と接続されて、前記異なる通信路を介して前記空気調和装置の情報が送信される、請求項１又は請求項２に記載の空気調和システム。
【請求項４】
前記情報処理部は、前記監視装置に設けられて、
前記情報処理部は、前記室外機と複数の前記室内機とを接続する通信路とは異なる通信路によって前記情報処理部と接続されて、前記通信路及び前記異なる通信路を介して前記空気調和装置の情報を取得する、請求項１に記載の空気調和システム。
【請求項５】
前記情報処理部は、前記空気調和装置の運転に関する情報と、前記空気調和装置の機能に関する情報とを前記監視装置に送信する、請求項１から請求項４のいずれか１項に記載の空気調和システム。
【発明の詳細な説明】
【技術分野】
【０００１】
本発明は、室外機の台数よりも多い台数の室内機を備える空気調和装置の情報を収集する空気調和システムに関する。
【背景技術】
【０００２】
近年、家庭の電力使用量を管理し、家庭単位で省エネルギーへの喚起が容易となる監視装置の技術が提供されている。このような技術では、家庭内の電気機器と監視装置とは無線ＬＡＮ（Local  Area  Network）のような通信路で接続される。【０００３】
このように、電気機器と監視装置とが通信路で接続されることで、監視装置は、通信路を介して電気機器の運転に関する情報を取得することができる。また、監視装置は、取得した運転に関する情報を記憶部に記憶することもできる。特許文献１には、通信路を通して空気調和装置の情報を監視装置のような他の機器に送信する技術が記載されている。
【先行技術文献】
【特許文献】
【０００４】
【特許文献１】特開２００１−３２４１９２号公報
【発明の概要】
【発明が解決しようとする課題】
【０００５】
特許文献１に記載された空気調和システムは、集中リモートコントローラで管理する情報を、通信路を介して送信する。リモートコントローラで管理する情報としては、温度設定、冷房の設定、暖房の設定及び室内温度の情報がある。しかし、特許文献１に記載された空気調和システムは、空気調和装置の室外機の圧縮機運転周波数及び電子膨張弁のパルス数といった、リモートコントローラが関与しない空気調和装置特有の情報については送信しない。【０００６】
また、通信路に接続された他の機器が、送信された情報を蓄積する機能を有し、かつ、情報の送信元である空気調和装置の室内機が複数ある場合は、蓄積する情報量が多くなるため接続機器の蓄積容量を圧迫することになる。また、通信路の伝送負荷も大きくなる。【０００７】
本発明に係る空気調和システムは、情報を伝達する通信路の伝送負荷を軽減できる空気調和システムを提供することを目的とする。
【課題を解決するための手段】
【０００８】
上述した課題を解決し、目的を達成するために、本発明に係る空気調和システムは、室外機、前記室外機よりも多い台数の室内機及び前記室外機と複数の前記室内機とを接続して情報を伝達する通信路を有する空気調和装置と、前記空気調和装置の情報を記憶する蓄積部を有する監視装置と、前記通信路を介して得られた前記空気調和装置の情報の少なくとも一部を前記蓄積部に送信する情報処理部と、を含む。
【発明の効果】
【０００９】
本発明によれば、情報を伝達する通信路の伝送負荷を軽減できる空気調和システムを提供できるという効果を奏する。
【図面の簡単な説明】
【００１０】
【図１】実施の形態１に係る空気調和システムを示す図
【図２】実施の形態１に係る空気調和システムを操作するリモートコントローラを示す図
【図３】実施の形態１に係る空気調和システムが備える情報処理部の構成を示す図
【図４】実施の形態１に係る空気調和システムが空気調和装置の情報を収集する処理を示すフローチャート
【図５】空気調和装置の情報を収集する処理の変形例を説明するための図
【図６】空気調和装置の情報を収集する処理の変形例を示すフローチャート
【図７】実施の形態２に係る空気調和システムが備える情報処理部の構成を示す図
【発明を実施するための形態】
【００１１】
以下に、本発明の実施の形態に係る空気調和システムを図面に基づいて詳細に説明する。なお、この実施の形態によりこの発明が限定されるものではない。
【００１２】
実施の形態１．
図１は、実施の形態１に係る空気調和システムを示す図である。図２は、実施の形態１に係る空気調和システムを操作するリモートコントローラを示す図である。図３は、実施の形態１に係る空気調和システムが備える情報処理部の構成を示す図である。
【００１３】
空気調和システム１は、室外機２、室外機２よりも多い台数の室内機３Ａ，３Ｂ，３Ｃ及び室外機２と複数の室内機３Ａ，３Ｂ，３Ｃとを接続して情報を伝達する通信路Ｔ１を有する空気調和装置１２と、空気調和装置１２の情報を記憶する監視装置６と、通信路Ｔ１を介して得られた空気調和装置１２の情報の少なくとも一部を監視装置６に送信する情報処理部２１と、を含む。以下において、複数の室内機３Ａ，３Ｂ，３Ｃを区別しない場合、室内機３と称する。
【００１４】
監視装置６が記憶する空気調和装置１２の情報は、空気調和装置１２の運転に関する情報を含む。空気調和装置１２の運転に関する情報は、室外機２が備える圧縮機の運転周波数及び電子膨張弁のパルス数といった室外機２の運転に関する情報と、温度設定、冷房又は暖房の設定及び室内温度といった室内機３の運転に関する情報とを含む。
【００１５】
実施の形態１において、空気調和装置１２は、１台の室外機２と、３台の室内機３とを備える。実施の形態１において、室内機３の台数は、室外機２の台数よりも多ければよいので、室外機２及び室内機３の台数は、実施の形態１の台数には限定されない。
【００１６】
実施の形態１において、３台の室内機３Ａ，３Ｂ，３Ｃのうち室内機３Ｂは、情報処理部２１を備える。複数の室内機３のうち、情報処理部２１を備える室内機３は１台に限定されない。すなわち、実施の形態１において、複数の室内機３のうち少なくとも１台の室内機３が情報処理部２１を備えていればよい。
【００１７】
室内機３Ｂは、室内機３Ｂを制御するための制御装置２０を備える。制御装置２０は、室内機３Ｂを制御するとともに、情報処理部２１を制御する。実施の形態１において、制御装置２０は、ＣＰＵ（Central  Processing  Unit）のようなプロセッサと、記憶装置と、入出力装置とを備えたコンピュータである。制御装置２０は、記憶装置に記憶された制御用のコンピュータプログラムを読み出して実行することにより、室内機３Ｂを制御する。また、複数の処理回路が連携して制御装置２０の機能を実現してもよい。
【００１８】
３台の室内機３Ａ，３Ｂ，３Ｃは、それぞれ入力装置であるリモートコントローラ４Ａ，４Ｂ，４Ｃを備える。以下において、複数のリモートコントローラ４Ａ，４Ｂ，４Ｃを区別しない場合、リモートコントローラ４と称する。リモートコントローラ４は、空気調和装置１２を操作するための装置である。実施の形態１において、リモートコントローラ４Ｂは、情報処理部２１を備える室内機３Ｂに接続されている。リモートコントローラ４は、情報処理部２１が監視装置６に送信する空気調和装置１２の情報を選択するための指令である選択指令ＣＣを情報処理部２１に与える。リモートコントローラ４により、監視装置６に送信する空気調和装置１２の情報を選択する際の作業が容易になる。
【００１９】
実施の形態１において、選択指令ＣＣを情報処理部２１に与えるリモートコントローラ４は、情報処理部２１を備える室内機３Ｂ以外の室内機３Ａ，３Ｃに接続されたものであってもよい。この場合、室内機３Ａに接続されたリモートコントローラ４Ａ又は室内機３Ｃに接続されたリモートコントローラ４Ｃは、通信路Ｔ１を介して室内機３Ｂ、実施の形態１では制御装置２０に選択指令ＣＣを与える。
【００２０】
実施の形態１において、選択指令ＣＣを室内機３Ｂに与えるリモートコントローラ４は、複数のリモートコントローラ４のうち、少なくとも１台であればよい。この場合、選択指令ＣＣを室内機３Ｂに与えるリモートコントローラ４は、情報処理部２１を備える室内機３Ｂに接続されたものである必要はない。
【００２１】
複数の室内機３が情報処理部２１を備える場合、各室内機３が備えるリモートコントローラ４のうち、少なくとも１台のリモートコントローラ４が選択指令ＣＣを情報処理部２１に与える機能を有していればよい。この場合、選択指令ＣＣを情報処理部２１に与えるリモートコントローラ４は、複数の情報処理部２１のうち、選択指令ＣＣを与える情報処理部２１を選択する機能である機器選択機能を有している。リモートコントローラ４は、機選択機能によって選択した情報処理部２１に選択指令ＣＣを与える。
【００２２】
リモートコントローラ４は、表示部１１と、操作部５とを備える。表示部１１及び操作部５は、空気調和装置１２のユーザーインターフェースである。表示部１１は、空気調和装置１２の情報及び図２に示されるような、情報処理部２１が監視装置６に送信する空気調和装置１２の情報を選択するための画面を表示する。操作部５は、室内機３の運転開始と運転停止との切替、温度の設定又は運転モードの設定をするための入力装置である。リモートコントローラ４は、無線通信又は有線通信により空気調和装置１２の室内機２と通信する。
【００２３】
室外機２と室内機３とは、通信路Ｔ１を介して接続されている。このような構造により、室外機２と室内機３との間及び複数の室内機３の間で情報を伝達することができる。室外機２と室内機３との間及び複数の室内機３の間において伝達される情報には、室外機２が備える圧縮機の運転周波数及び電子膨張弁のパルス数といった空気調和装置１２の共通の情報と、温度設定、冷房又は暖房の設定及び室内温度といった各室内機３の情報と、の両方が含まれる。
【００２４】
複数、具体的には３台の室内機３Ａ，３Ｂ，３Ｃのうち、情報処理部２１を備える室内機３Ｂは、通信路Ｔ２によって監視装置６と接続されている。情報処理部２１は、通信路Ｔ１を介して空気調和装置１２の情報を取得し、取得した情報を、通信路Ｔ２を介して監視装置６に送信する。
【００２５】
実施の形態１において、監視装置６は、監視部６Ｐと蓄積部１０とを含む。監視部６Ｐは、制御装置６Ｃ及び表示装置６Ｄを備える。監視装置６は、蓄積部１０と通信路Ｔ３によって接続される。通信路Ｔ３は、無線通信又は有線通信によって情報を伝達する経路である。監視装置６は、情報処理部２１から送信された情報を蓄積部１０に記憶させたり、蓄積部１０に蓄積された情報を読み出して表示装置６Ｄに表示させたりすることができる。制御装置６Ｃは、プロセッサとメモリとを備え、監視装置６の機能を実現するためのコンピュータプログラムをメモリから読み出して実行することにより、監視装置６の機能を実現する。制御装置６Ｃは、単数の処理回路により又は複数の処理回路の連携により監視装置６の機能を実現してもよい。
【００２６】
実施の形態１において、蓄積部１０は、情報を記憶する装置であり、ＳＳＤ（Solid  State  Drive）又はＨＤＤ（Hard  Disk  Drive）が例示される。実施の形態１において、監視装置６と蓄積部１０とは別個の装置であるが、監視装置６が蓄積部１０を備えていてもよい。
【００２７】
実施の形態１において、通信路Ｔ１と通信路Ｔ２とは異なる通信路である。通信路Ｔ１及び通信路Ｔ２は、情報を伝達する経路である。通信路Ｔ１及び通信路Ｔ２は、ＬＡＮ（Local  Area  Network）が例示される。ＬＡＮは、無線であってもよいし有線であってもよい。
【００２８】
情報処理部２１は、図３に示されるように、情報取得部２２と、情報選択部２３と、情報送信部２４とを含む。情報取得部２２は、通信路Ｔ１と接続されており、通信路Ｔ１を介して空気調和装置１２の情報、より具体的には室外機２の情報及び室内機３の情報を取得する。情報選択部２３は、制御信号Ｃ１を受けて、情報取得部２２が取得した情報の中から監視装置６に送信する情報を選択し、情報送信部２４に出力する。制御信号Ｃ１は、空気調和装置１２のすべての情報から、監視装置６が取得する情報を情報選択部２３に選択させるための情報である。情報送信部２４は、通信路Ｔ２と接続されており、情報選択部２３からの情報を、通信路Ｔ２を介して監視装置６に送信する。このため、監視装置６は、通信路Ｔ１及び室内機３Ｂを介して、空調和装置１２の情報を収集する。
【００２９】
実施の形態１において、情報処理部２１は、単数の処理回路により又は複数の処理回路の連携により情報取得部２２、情報選択部２３及び情報送信部２４の機能を実現する。この他、情報処理部２１は、ＣＰＵのようなプロセッサ、記憶装置及び入出力装置を含み、プロセッサが情報取得部２２、情報選択部２３及び情報送信部２４の機能を実現するコンピュータプログラム記憶装置から読み込んで実行することにより、これらの機能を実現してもよい。また、実施の形態１において、情報処理部２１の機能は、図１に示される制御装置２０が実現してもよい。
【００３０】
制御信号Ｃ１は、図１に示される制御装置２０によって生成される。制御装置２０は、リモートコントローラ４Ｂから選択指令ＣＣを取得すると、制御信号Ｃ１を生成して情報処理部２１の情報選択部２３に送信する。制御信号Ｃ１を受け取った情報選択部２３は、情報取得部２２から取得した情報の中から監視装置６に送信する情報を選択し、情報送信部２４及び通信路Ｔ２を介して監視装置６に送信する。このように、室内機３Ｂが備える情報処理部２１は、空気調和装置１２のすべての情報から、選択指令ＣＣによって選択された情報を、通信路Ｔ２を介して監視装置６に送信する。すなわち、情報処理部２１は、空気調和装置１２のすべての情報の少なくとも一部を、通信路Ｔ２を介して監視装置６に送信することができる。また、空気調和装置１２のユーザーは、リモートコントローラ４Ｂを用いて、情報取得部２２から取得した情報の中から監視装置６に送信する情報を選択することができる。
【００３１】
図４は、実施の形態１に係る空気調和システムが空気調和装置の情報を収集する処理を示すフローチャートである。空気調和装置１２のユーザーが、図１に示されるリモートコントローラ４Ｂを用いて、空気調和装置１２のすべての情報から、空気調和装置１２の共通の情報及び室内機３Ｂの情報を選択して、監視装置６に送信するように設定する。リモートコントローラ４Ｂは、室内機３Ｂの情報を選択する旨の選択指令ＣＣを、室内機３Ｂの制御装置２０に与える。
【００３２】
選択指令ＣＣを取得した制御装置２０は、空気調和装置１２のすべての情報から、室内機３Ｂの情報を選択して送信するための制御信号Ｃ１を生成する。そして、制御装置２０は、生成した制御信号Ｃ１を情報処理部２１の情報選択部２３に送信する。ステップＳ１０１において、情報選択部２３は、情報取得部２２が通信路Ｔ１を介して取得した空気調和装置１２の情報が、室外機２及びすべての室内機３に共通する共通情報であるか否かを判定する。
【００３３】
取得された空気調和装置１２の情報が共通情報でない場合（ステップＳ１０１、Ｎｏ）、取得された情報は、室外機２の情報、室内機３Ａの情報、室内機３Ｂの情報及び室内機３Ｃの情報の少なくとも１つを含む。ステップＳ１０２において、情報選択部２３は、取得された情報が室内機３Ｂの情報であるか否かを判定する。
【００３４】
取得された情報が室内機３Ｂの情報である場合（ステップＳ１０２、Ｙｅｓ）、ステップＳ１０３において、情報選択部２３は、情報取得部２２によって取得された情報を情報送信部２４に送信する。情報送信部２４は、情報選択部２３からの情報を、通信路Ｔ２を介して監視装置６に送信する。監視装置６の監視部６Ｐは、情報送信部２４から送信された情報を蓄積部１０に記憶させる。
【００３５】
ステップＳ１０１において、取得された空気調和装置１２の情報が共通情報である場合（ステップＳ１０１、Ｙｅｓ）、ステップＳ１０３において、情報選択部２３は、情報取得部２２によって取得された情報を情報送信部２４に送信する。情報送信部２４は、情報選択部２３からの情報を、通信路Ｔ２を介して監視装置６に送信する。監視装置６の監視部６Ｐは、情報送信部２４から送信された情報を蓄積部１０に記憶させる。ステップＳ１０２において、取得された情報が室内機３Ｂの情報でない場合（ステップＳ１０２、Ｎｏ）、空気調和装置１２の情報を収集する処理は終了する。
【００３６】
（情報を収集する処理の変形例）
図５は、空気調和装置の情報を収集する処理の変形例を説明するための図である。図６は、空気調和装置の情報を収集する処理の変形例を示すフローチャートである。情報処理部２１が監視装置６に送信する空気調和装置１２の情報は、任意の室内機３の情報に限らず、空気調和装置１２の使用者が必要とする空気調和装置１２の機能に関する情報であってもよいし、任意の室内機３の情報と空気調和装置１２の使用者が必要とする機能が組み合わされた情報であってもよい。このようにすることで、監視装置６に記憶される情報の選択の自由度が向上する。
【００３７】
図５に示されるリモートコントローラ４の表示部１１は、情報処理部２１が監視装置６に送信する空気調和装置１２の情報を選択するための情報を表示している。図５は、図１の監視装置６に送信される空気調和装置１２の情報として、冷房、暖房又は送風といった空気調和装置１２の運転モードと、室外機２が備える圧縮機の周波数の情報とが選択された状態を示している。
【００３８】
図１に示される空気調和システム１が空気調和装置１２の情報を収集するにあたり、ステップＳ２０１において、図３に示される情報処理部２１は、選択指令ＣＣに基づいて生成された制御信号Ｃ１から、リモートコントローラ４Ｂによって監視装置６に送信される空気調和装置１２の情報が選択されているか否かを判定する。この場合、制御信号Ｃ１が存在しなければ情報が選択されておらず、制御信号Ｃ１が存在すれば情報が選択されている。情報が選択されていない場合（ステップＳ２０１、Ｎｏ）、空気調和装置１２の情報を収集する処理は終了する。
【００３９】
情報が選択されている場合（ステップＳ２０１、Ｙｅｓ）、ステップＳ２０２において、情報処理部２１の情報選択部２３は、情報取得部２２によって取得された情報をのうち、リモートコントローラ４から送信された選択指令ＣＣに基づいて生成された制御信号Ｃ１で指定された情報を、情報送信部２４に送信する。情報送信部２４は、情報選択部２３からの情報を、通信路Ｔ２を介して監視装置６に送信する。変形例においては、図５に示される冷房、暖房又は送風といった空気調和装置１２の運転モードと、室外機２が備える圧縮機の周波数の情報とが監視装置６に送信される。監視装置６は、情報送信部２４から送信された情報を蓄積部１０に記憶させる。
【００４０】
空気調和システム１は、空気調和装置１２のすべての情報の中から選択された情報又は空気調和装置１２の使用者が必要とする機能に関する情報を選択して、通信路Ｔ２を介して監視装置６に送信し、蓄積部１０に記憶させる。このような処理によって、空気調和システム１は、通信路Ｔ２の情報の伝送負荷を軽減できるとともに、蓄積部１０の記憶容量が圧迫されることを抑制できる。
【００４１】
また、空気調和装置１２が故障した場合、サービスマンは、故障の原因を解明するための情報を収集するために、リモートコントローラ４を用いて故障した室内機３又は室外機２の情報のみを選択して空気調和装置１２を運転する。このような操作により、蓄積部１０は、故障した室内機３又は室外機２の情報だけを記憶することができる。このように、蓄積部１０には、正常である室内機３又は室外機２の情報が記憶されないようにすることができる。その結果、空気調和システム１は、サービスマンが蓄積部１０に蓄積された空気調和装置１２の情報を使用して故障の原因を解析する際に、解析の効率を向上させることができる。
【００４２】
実施の形態１において、空気調和システム１は、通信路Ｔ１とは異なる通信路Ｔ２に監視装置６が接続されるが、監視装置６は、通信路Ｔ１に接続されてもよい。この場合、情報処理部２１は、通信路Ｔ１を介して空気調和装置１２の情報を取得し、取得した情報の中から監視装置６に送信する情報を選択して通信路Ｔ１に送信する。
【００４３】
実施の形態１に係る空気調和システム１の構成は、以下の実施の形態においても適宜適用することができる。
【００４４】
実施の形態２．
図７は、実施の形態２に係る空気調和システムが備える情報処理部の構成を示す図である。実施の形態２は、実施の形態１に係る空気調和システム１において、情報処理部３１が監視装置６ａに設けられる点が異なる。他は実施の形態１と同様である。情報処理部３１は、情報取得部３２と、情報選択部３３と、蓄積部インターフェース３４とを備える。
【００４５】
情報取得部３２は、実施の形態１に係る情報処理部２１の情報取得部２２と同様の機能を有する。情報取得部３２は、通信路Ｔ２に接続されており、通信路Ｔ１、室内機３Ｂ及び通信路Ｔ２を介して、空気調和装置１２の情報を取得する。情報選択部３３は実施の形態１に係る情報処理部２１の情報選択部２３と同様の機能を有する。情報選択部３３は、制御信号Ｃ１を受けて、情報取得部３２から取得した情報の中から監視装置６に送信する情報を選択し、蓄積部インターフェース３４に出力する。
【００４６】
蓄積部インターフェース３４は、蓄積部１０と情報をやり取りするための通信用のインターフェースである。蓄積部インターフェース３４は、通信路Ｔ３を介して蓄積部１０に接続されている。蓄積部インターフェース３４は、情報選択部３３からの情報を、通信路Ｔ３を介して蓄積部１０に送信する。蓄積部１０は、情報選択部３３からの情報を取得して記憶する。
【００４７】
実施の形態２において、図１に示されるリモートコントローラ４Ｂから室内機３Ｂに選択指令ＣＣが送信されると、室内機３Ｂの制御装置２０は、選択指令ＣＣから制御信号Ｃ１を生成して通信路Ｔ２を介して情報選択部３３に送信する。実施の形態２において、制御信号Ｃ１は、監視装置６ａの監視部６Ｐａが備える制御装置６Ｃによって生成されて、情報選択部３３に与えられてもよい。この場合、監視装置６ａの制御装置６Ｃは、室内機３Ｂの制御装置２０によって送信された、リモートコントローラ４Ｂからの選択指令ＣＣを、通信路Ｔ２を介して取得する。そして、制御装置６Ｃは、取得した選択指令ＣＣから制御信号Ｃ１を生成して、情報選択部３３に送信する。
【００４８】
実施の形態２において、監視装置６ａは通信路Ｔ２に接続されているが、通信路Ｔ１に接続されていてもよい。この場合、監視装置６ａは、通信路Ｔ１を介して空気調和装置１２の情報、すなわち室外機２の情報及び室内機３のすべての情報を取得し、取得した情報の中から制御信号Ｃ１によって選択された情報を蓄積部１０に記憶させてもよい。
【００４９】
監視装置６ａに備えられた情報処理部３１は、空気調和装置１２のすべての情報又は空気調和装置１２の使用者が必要とする空気調和装置１２の機能に関する情報を、通信路Ｔ１を介して取得する。そして、情報処理部３１は、選択した情報を、通信路Ｔ３を介して蓄積部１０に記憶させる。その結果、蓄積部１０に記憶される情報の量を抑制できるので、蓄積部１０の記憶容量が圧迫されることを抑制できる。また、実施の形態２も、蓄積部１０には正常である室内機３又は室外機２の情報が記憶されてないようにすることができる。その結果、実施の形態２も、サービスマンが蓄積部１０に蓄積された空気調和装置１２の情報を使用して故障の原因を解析する際に、解析の効率を向上させることができる。
【００５０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５１】
１  空気調和システム、２  室外機、３，３Ａ，３Ｂ，３Ｃ  室内機、４，４Ａ，４Ｂ，４Ｃ  リモートコントローラ、５  操作部、６，６ａ  監視装置、６Ｐ，６Ｐａ  監視部、６Ｃ  制御装置、６Ｄ  表示装置、１０  蓄積部、１１  表示部、１２  空気調和装置、２０  制御装置、２１，３１  情報処理部、２２，３２  情報取得部、２３，３３  情報選択部、２４  情報送信部、３４  蓄積部インターフェース。
【図１】
2016125270.tif 000003
【図２】
2016125270.tif 000004
【図３】
2016125270.tif 000005
【図４】
2016125270.tif 000006
【図５】
2016125270.tif 000007
【図６】
2016125270.tif 000008
【図７】
2016125270.tif 000009
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
室外機、前記室外機よりも多い台数の室内機及び前記室外機と複数の前記室内機とを接続して情報を伝達する通信路を有する空気調和装置と、
前記空気調和装置の情報を記憶する蓄積部を有する監視装置と、
前記通信路を介して得られた前記空気調和装置の情報の少なくとも一部を前記蓄積部に送信する情報処理部と、
を含み、
少なくとも１台の前記室内機は、前記情報処理部を備え、
複数の前記室内機は、前記情報処理部が前記監視装置に送信する情報を選択するための指令を前記情報処理部に与える入力装置を備える、空気調和システム。
【請求項２】
前記監視装置は、前記室外機と複数の前記室内機とを接続する通信路とは異なる通信路によって前記情報処理部と接続されて、前記異なる通信路を介して前記空気調和装置の情報が送信される、請求項１に記載の空気調和システム。
【請求項３】
前記情報処理部は、前記空気調和装置の運転に関する情報と、前記空気調和装置の機能に関する情報とを前記監視装置に送信する、請求項１又は請求項２に記載の空気調和システム。
【手続補正２】
【補正対象書類名】明細書
【補正対象項目名】００４９
【補正方法】変更
【補正の内容】
【００４９】
監視装置６ａに備えられた情報処理部３１は、空気調和装置１２のすべての情報又は空気調和装置１２の使用者が必要とする空気調和装置１２の機能に関する情報を、通信路Ｔ２を介して取得する。そして、情報処理部３１は、選択した情報を、通信路Ｔ３を介して蓄積部１０に記憶させる。その結果、蓄積部１０に記憶される情報の量を抑制できるので、蓄積部１０の記憶容量が圧迫されることを抑制できる。また、実施の形態２も、蓄積部１０には正常である室内機３又は室外機２の情報が記憶されてないようにすることができる。その結果、実施の形態２も、サービスマンが蓄積部１０に蓄積された空気調和装置１２の情報を使用して故障の原因を解析する際に、解析の効率を向上させることができる。
【国際調査報告】
2016125270.tif 000010
2016125270.tif 000011
2016125270.tif 000012
2016125270.tif 000013